(57)【要約】【課題】タッチパネル付きディスプレイなどの表示手段が取り外された状態でもＡＦ枠の自動追尾モードの切り替えを行うことができるＡＦ枠自動追尾システムを提供する。【解決手段】画像処理ユニット５８のＣＰＵ７８は、複数の追尾モードのうち任意の追尾モードを選択可能なメニュー画像を表示するＬＣＤ４０が接続されているか否かを判別し、ＬＣＤ４０が接続されていないと判別される場合には、ＡＦ枠操作部６０に設けられた追尾モード切替スイッチ１１２にて選択された追尾モードに従ってＡＦ枠の自動追尾の処理を実行する。【選択図】図２
2011109323.tif 000002
【特許請求の範囲】
【請求項１】
光学系により結像された被写体像を撮像する撮像手段と、前記撮像手段により撮像された撮影画像のうち、所定のＡＦ枠の範囲の被写体にピントが合うように前記光学系のフォーカス調整を行うオートフォーカス手段と、所定の追尾対象の被写体にピントが合うように前記ＡＦ枠を前記追尾対象の被写体に自動追尾させるＡＦ枠自動追尾手段と、を備えたＡＦ枠自動追尾システムにおいて、
前記ＡＦ枠自動追尾手段は、前記追尾対象の被写体として設定可能な被写体が異なる複数の追尾モードを有し、
前記ＡＦ枠自動追尾手段とは別体として構成される表示手段であって、画像表示画面に前記撮像手段により撮像された撮影画像を表示すると共に、該撮影画像に重畳させて現在設定されているＡＦ枠の範囲を表示し、更に前記複数の追尾モードのうち任意の追尾モードを選択可能なメニュー画像を表示する表示手段と、
前記表示手段が前記ＡＦ枠自動追尾手段に接続されているか否かを判別する判別手段と、
前記ＡＦ枠自動追尾手段と一体的に構成され、前記複数の追尾モードのうち任意の追尾モードを選択可能な選択手段と、を備え、
前記ＡＦ枠自動追尾手段は、前記判別手段による判別結果に応じて、前記選択手段によって選択された追尾モードに従って前記ＡＦ枠の自動追尾を行うことを特徴とするＡＦ枠自動追尾システム。
【請求項２】
前記ＡＦ枠自動追尾手段は、前記表示手段が接続されていない場合には、前記選択手段によって選択された追尾モードに従って前記ＡＦ枠の自動追尾を行うことを特徴とする請求項１に記載のＡＦ枠自動追尾システム。
【請求項３】
前記ＡＦ枠自動追尾手段は、前記表示手段が接続されている場合には、前記表示手段に表示されたメニュー画像から所定操作によって選択された追尾モードに従って前記ＡＦ枠の自動追尾を行うことを特徴とする請求項１又は２に記載のＡＦ枠自動追尾システム。
【請求項４】
前記複数の追尾モードには、逐次撮像される撮影画像の中から追尾対象の顔を顔検出処理により検出し、該追尾対象の顔に前記ＡＦ枠を自動追尾させる顔検出追尾モードが含まれることを特徴とする請求項１乃至３のいずれか１項に記載のＡＦ枠自動追尾システム。
【請求項５】
前記複数の追尾モードには、追尾対象の被写体の画像を記憶すると共に、逐次撮像される撮影画像の中から追尾対象の被写体の画像をパターンマッチング処理により検出し、該追尾対象の被写体に前記ＡＦ枠を自動追尾させる物体追尾モードが含まれることを特徴とする請求項１乃至４のいずれか１項に記載のＡＦ枠自動追尾システム。
【請求項６】
前記表示手段と前記ＡＦ枠自動追尾手段はコネクタを介して着脱自在に接続され、
前記判別手段は、前記コネクタのピンを利用して前記表示手段の接続の有無を自動的に判別することを特徴とする請求項１乃至５のいずれか１項に記載のＡＦ枠自動追尾システム。
【請求項７】
前記判別手段は、前記コネクタに含まれる電源ピンとＧＮＤピンが短絡状態であるか否かに応じて前記表示手段の接続の有無を自動的に判別することを特徴とする請求項６に記載のＡＦ枠自動追尾システム。
【請求項８】
前記ＡＦ枠自動追尾手段は、前記光学系のフォーカス調整をマニュアルで操作するためのコントローラに組み込まれていることを特徴とする請求項１乃至７のいずれか１項に記載のＡＦ枠自動追尾システム。
【発明の詳細な説明】
【技術分野】
【０００１】
本発明はＡＦ枠自動追尾システムに係り、特に、オートフォーカス（ＡＦ）によりピントを合わせる被写体の範囲を示すＡＦ枠（ＡＦエリア）を所定の被写体に自動追尾させる機能を備えたＡＦ枠自動追尾システムに関する。
【背景技術】
【０００２】
従来、カメラのフォーカスを自動的に合わせるオートフォーカス（ＡＦ）システムにおいては、どこにフォーカスを合わせるかをカメラに対して指示しなければならない。このとき、一般のカメラなどでは、フォーカスを合わせる位置は撮影範囲のセンターに固定されていて、例えば撮影範囲の中央にいる人物等にフォーカスが合うようになっている。
【０００３】
しかし、動いている被写体を撮影する場合などにおいては、このようにフォーカスを合わせる位置が固定されていては都合が悪い。そこで、例えば、テレビカメラなどで、スポーツのように被写体の動きの激しいシーンを撮影する場合において、被写体にピントを合わせる目的でＡＦエリア（ＡＦ枠）を被写体に自動追尾させるＡＦ枠自動追尾システムが知られている（例えば、特許文献１等参照）。尚、本明細書では、ＡＦエリアの範囲の輪郭を示すＡＦ枠をＡＦエリアと同様にピントを合わせる被写体の範囲を意味する用語として主に使用するものとする。
【先行技術文献】
【特許文献】
【０００４】
【特許文献１】特開２００６−２６７２２１号公報
【発明の概要】
【発明が解決しようとする課題】
【０００５】
ところで、ＡＦ枠自動追尾システムにおいて、例えばフォーカスコントローラなどの操作部にタッチパネル付きディスプレイを備えたものがある。タッチパネル付きディスプレイには、カメラで撮影されている現在の撮影映像と共に現在設定されているＡＦ枠の範囲が表示されるようになっており、タッチパネル付きディスプレイでのタッチ操作によってＡＦ枠に関する操作を行うことができるようになっている。
【０００６】
特に、任意の種類の物体をＡＦ枠で追尾させるモード（物体追尾モード）や任意の人物の顔をＡＦ枠で追尾させるモード（顔検出追尾モード）などの複数の追尾モードを備えたＡＦ枠自動追尾システムにおいては、タッチパネル付きディスプレイでのタッチ操作によって追尾モードの切り替えが可能となっている。
【０００７】
このようなＡＦ枠自動追尾システムでは、カメラマンは通常カメラ本体に設置されたビューファインダを見ながらピント確認や画角調整を行っている。このため、撮影条件や個人の好みによってはタッチパネル付きディスプレイを取り外して使用したいといった要望がある。
【０００８】
しかしながら、ＡＦ枠自動追尾システムからタッチパネル付きディスプレイを取り外してしまうと、追尾モードの切り替えを行うことができず、追尾対象とする被写体に適した追尾モードでＡＦ枠の自動追尾を行うことができないといった不具合が生じる。このため、常にタッチパネル付きディスプレイを取り付けた状態で操作しなければならず、利便性に欠けるといった問題がある。
【０００９】
本発明は、このような事情に鑑みてなされたもので、タッチパネル付きディスプレイなどの表示手段が取り外された状態でもＡＦ枠の自動追尾モードの切り替えを行うことができるＡＦ枠自動追尾システムを提供することを目的とする。
【課題を解決するための手段】
【００１０】
前記目的を達成するために、請求項１に記載のＡＦ枠自動追尾システムは、光学系により結像された被写体像を撮像する撮像手段と、前記撮像手段により撮像された撮影画像のうち、所定のＡＦ枠の範囲の被写体にピントが合うように前記光学系のフォーカス調整を行うオートフォーカス手段と、所定の追尾対象の被写体にピントが合うように前記ＡＦ枠を前記追尾対象の被写体に自動追尾させるＡＦ枠自動追尾手段と、を備えたＡＦ枠自動追尾システムにおいて、前記ＡＦ枠自動追尾手段は、前記追尾対象の被写体として設定可能な被写体が異なる複数の追尾モードを有し、前記ＡＦ枠自動追尾手段とは別体として構成される表示手段であって、画像表示画面に前記撮像手段により撮像された撮影画像を表示すると共に、該撮影画像に重畳させて現在設定されているＡＦ枠の範囲を表示し、更に前記複数の追尾モードのうち任意の追尾モードを選択可能なメニュー画像を表示する表示手段と、前記表示手段が前記ＡＦ枠自動追尾手段に接続されているか否かを判別する判別手段と、前記ＡＦ枠自動追尾手段と一体的に構成され、前記複数の追尾モードのうち任意の追尾モードを選択可能な選択手段と、を備え、前記ＡＦ枠自動追尾手段は、前記判別手段による判別結果に応じて、前記選択手段によって選択された追尾モードに従って前記ＡＦ枠の自動追尾を行うことを特徴とする。
【００１１】
請求項２に記載のＡＦ枠自動追尾システムは、請求項１に記載のＡＦ枠自動追尾システムにおいて、前記ＡＦ枠自動追尾手段は、前記表示手段が接続されていない場合には、前記選択手段によって選択された追尾モードに従って前記ＡＦ枠の自動追尾を行うことを特徴とする。
【００１２】
請求項３に記載のＡＦ枠自動追尾システムは、請求項１又は２に記載のＡＦ枠自動追尾システムにおいて、前記ＡＦ枠自動追尾手段は、前記表示手段が接続されている場合には、前記表示手段に表示されたメニュー画像から所定操作によって選択された追尾モードに従って前記ＡＦ枠の自動追尾を行うことを特徴とする。
【００１３】
請求項４に記載のＡＦ枠自動追尾システムは、請求項１乃至３のいずれか１項に記載のＡＦ枠自動追尾システムにおいて、前記複数の追尾モードには、逐次撮像される撮影画像の中から追尾対象の顔を顔検出処理により検出し、該追尾対象の顔に前記ＡＦ枠を自動追尾させる顔検出追尾モードが含まれることを特徴とする。
【００１４】
請求項５に記載のＡＦ枠自動追尾システムは、請求項１乃至４のいずれか１項に記載のＡＦ枠自動追尾システムにおいて、前記複数の追尾モードには、追尾対象の被写体の画像を記憶すると共に、逐次撮像される撮影画像の中から追尾対象の被写体の画像をパターンマッチング処理により検出し、該追尾対象の被写体に前記ＡＦ枠を自動追尾させる物体追尾モードが含まれることを特徴とする。
【００１５】
請求項６に記載のＡＦ枠自動追尾システムは、請求項１乃至５のいずれか１項に記載のＡＦ枠自動追尾システムにおいて、前記表示手段と前記ＡＦ枠自動追尾手段はコネクタを介して着脱自在に接続され、前記判別手段は、前記コネクタのピンを利用して前記表示手段の接続の有無を自動的に判別することを特徴とする。
【００１６】
請求項７に記載のＡＦ枠自動追尾システムは、請求項６に記載のＡＦ枠自動追尾システムにおいて、前記判別手段は、前記コネクタに含まれる電源ピンとＧＮＤピンが短絡状態であるか否かに応じて前記表示手段の接続の有無を自動的に判別することを特徴とする。
【００１７】
請求項８に記載のＡＦ枠自動追尾システムは、請求項１乃至７のいずれか１項に記載のＡＦ枠自動追尾システムにおいて、前記ＡＦ枠自動追尾手段は、前記光学系のフォーカス調整をマニュアルで操作するためのコントローラに組み込まれていることを特徴とする。
【発明の効果】
【００１８】
本発明によれば、複数の追尾モードのうち所望の追尾モードを選択可能なメニュー画像を表示する表示手段（例えばタッチパネル付きディスプレイ）が接続されているか否かが判別され、その判別結果に応じて、ＡＦ枠操作手段と一体的に構成される選択手段によって選択された追尾モードに従ってＡＦ枠の自動追尾の処理が実行される。これにより、カメラマンの好みや撮影条件によって表示手段が取り外された状態で使用される場合でも、追尾対象とする被写体に適した追尾モードによるＡＦ枠の自動追尾が可能となり、利便性が向上する。
【図面の簡単な説明】
【００１９】
【図１】本発明が適用されるテレビカメラシステムの一実施の形態を示した外観図
【図２】図１のテレビカメラシステムに適用されるＡＦ枠自動追尾システムの全体構成を示したブロック図
【図３】ＡＦ枠（ＡＦエリア）の説明図
【図４】フォーカスデマンドの外観図
【図５】タッチパネル付き液晶ディスプレイに表示される画面の一例を示した図
【図６】画像処理ユニットのＣＰＵにおけるＡＦ枠自動追尾の処理手順を示したフローチャート
【発明を実施するための形態】
【００２０】
以下、添付図面を参照して、本発明に係るオートフォーカスシステムについて詳細に説明する。
【００２１】
図１は、本発明が適用されるテレビカメラシステムの一実施の形態を示した外観図である。同図に示すようにテレビカメラ１０は、主に放送用又は業務用に使用されるテレビカメラであり、レンズ装置１２とカメラ本体１４とで構成され、ペデスタルドリー１６上に設置された雲台１８に支持されている。
【００２２】
雲台１８には、左右２本のパン棒２２、２４が延設されており、右側のパン棒２２のグリップ部２２Ａには、フォーカスデマンド（フォーカスコントローラ）２６がマウンティングクランプ３８によって設置され、左側のパン棒２４のグリップ部にはズームデマンド（ズームコントローラ）２８が設置されている。
【００２３】
フォーカスデマンド２６には、回動可能なフォーカスノブ３０が設けられており、マニュアルフォーカス（ＭＦ）によりフォーカス制御を行う際に、このフォーカスノブ３０を回動操作すると、その回動位置に応じたフォーカス位置を目標位置としてフォーカス（フォーカスレンズ）の移動を指令するフォーカス制御信号がフォーカスデマンド２６からレンズ装置１２に与えられる。これにより、レンズ装置１２のフォーカスレンズがフォーカス制御信号によって指令された目標位置に移動する。
【００２４】
ズームデマンド２８には、回動可能なサムリング３４が設けられており、そのサムリング３４を左右方向に回動操作すると、回動位置に応じたズーム速度を目標速度としてズーム（ズームレンズ）の移動を指令するズーム制御信号がズームデマンド２８からレンズ装置１２に与えられる。これにより、レンズ装置１２のズームレンズがズーム制御信号によって指令された目標速度で移動する。
【００２５】
また、図では省略するが、フォーカスデマンド２６には、オートフォーカス（ＡＦ）に関する各種操作部材が設けられると共に、ＡＦによりピントを合わせる対象の被写体範囲（ＡＦの対象範囲）を示すＡＦ枠の制御（位置等の変更）を行うためのＡＦ枠制御装置（ＡＦ枠自動追尾装置）が組み込まれ、そのＡＦ枠制御装置の各種操作部材もフォーカスデマンド２６に設けられている。
【００２６】
更に、ＡＦ枠制御装置の構成要素として同図のようにタッチパネル付き液晶ディスプレイ（ＬＣＤ）４０が設置具によりフォーカスデマンド２６の本体上部に設置され、図示しないケーブルでフォーカスデマンド２６に接続されている。
【００２７】
尚、以下において、単にＬＣＤ４０と記した場合にはこのタッチパネル付き液晶ディスプレイ４０を示す。また、ＬＣＤ４０は、フォーカスデマンド２６の本体上部以外の任意の位置に設置することが可能である。例えば、ビューファインダ３６の横に設置してもよい。
【００２８】
カメラ本体１４の上には、表示装置であるビューファインダ３６が設置されている。このビューファインダ３６には、本テレビカメラ１０で撮影されている被写体の映像が表示されるため、カメラマンはその映像を見ながらフォーカスデマンド２６やズームデマンド２８を操作することによって所望の構図で被写体を撮影することができるようになっている。尚、以下において、撮影映像又は撮影画像と称した場合には、テレビカメラ１０で現在撮影されている映像又は画像を示すものとする。
【００２９】
また、ビューファインダ３６に表示される撮影映像には、現在ＡＦ枠が設定されている位置、大きさ、形状（縦横比）を示すＡＦ枠の画像が重畳されて表示されるようになっており、ＡＦによりフォーカス制御を行う場合には撮影映像内のどの範囲の被写体にピントが合わせられるかを知ることができるようになっている。尚、ＭＦとＡＦのフォーカス制御は、フォーカスデマンド２６に設けられたモードスイッチ等で切り替えられるようになっている。
【００３０】
図２は、上記テレビカメラシステムに適用されるオートフォーカスシステムの全体構成を示したブロック図である。
【００３１】
同図のオートフォーカスシステム１には、図１に示したテレビカメラ１０のレンズ装置１２及びカメラ本体１４とビューファインダ３６が示されている。また、図１のフォーカスデマンド２６の構成要素として、フォーカス操作部５０と、フォーカスデマンド２６に組み込まれたＡＦ枠制御装置（ＡＦ枠自動追尾装置）を構成する画像処理ユニット５８及びＡＦ枠操作部６０が示されている。
【００３２】
テレビカメラ１０は、ハイビジョンテレビ［ＨＤ（High Definition)ＴＶ］方式に対応したＨＤカメラからなるカメラ本体１４と、カメラ本体１４のレンズマウントに装着される撮影レンズ（光学系）を備えたレンズ装置１２とから構成される。
【００３３】
カメラ本体１４には、撮像素子（例えばＣＣＤ）や所要の信号処理回路等が搭載されており、レンズ装置１２の撮影レンズにより結像された像は、撮像素子により光電変換された後、信号処理回路によって所要の信号処理が施されてＨＤＴＶ方式の映像信号（ＨＤＴＶ信号）として、カメラ本体１４の映像信号出力端子等から外部に出力される。
【００３４】
また、図１のようにカメラ本体１４の上部等に設置されるビューファインダ３６には、テレビカメラ１０の撮影映像が表示されるようになっている。ビューファインダ３６には、撮影映像以外の各種情報が表示されるようになっており、例えば、現在の設定されているＡＦ枠の範囲（位置、大きさ、形状）を示す画像が撮影映像に重畳されて表示されるようになっている。
【００３５】
レンズ装置１２は、カメラ本体１４のレンズマウントに装着される撮影レンズ（ズームレンズ）６４を備えており、その撮影レンズ６４により、被写体５６がカメラ本体１４の撮像素子の撮像面に結像されるようになっている。撮影レンズ６４には、図示を省略するが、その構成要素としてフォーカスレンズ群、ズームレンズ群、絞りなどの撮影条件を調整するための可動部が設けられており、それらの可動部は、モータ（サーボ機構）によって電動駆動されるようになっている。例えば、フォーカスレンズ群やズームレンズ群は光軸方向に移動し、フォーカスレンズ群が移動することによってフォーカス（被写体距離）調整が行われ、またズームレンズ群が移動することによって焦点距離（ズーム倍率）調整が行われる。
【００３６】
尚、ＡＦに関するシステムにおいては、少なくともフォーカスレンズ群が電動で駆動できればよく、その他の可動部は手動でのみ駆動可能であってもよい。
【００３７】
また、レンズ装置１２には、ＡＦユニット６６及び図示しないレンズＣＰＵ等が搭載されている。レンズＣＰＵはレンズ装置１２全体を統括制御するものであり、フォーカスレンズ群、ズームレンズ群、絞りなどのモータによって電動駆動される制御対象の状態（位置、速度）をモータを駆動して制御する。また、ＡＦユニット６６は、ＡＦによるフォーカス制御（自動ピント調整）を行うために必要な情報を取得するための処理部であり、図示を省略するが、ＡＦ処理部、ＡＦ用撮像回路等から構成されている。
【００３８】
ＡＦ用撮像回路はＡＦ処理用の映像信号を取得するためにレンズ装置１２に配置されており、ＣＣＤ等の撮像素子（ＡＦ用撮像素子という）やＡＦ用撮像素子の出力信号を所定形式の映像信号として出力する処理回路等を備えている。尚、ＡＦ用撮像回路から出力される映像信号は輝度信号である。
【００３９】
ＡＦ用撮像素子の撮像面には、撮影レンズ６４の光路上に配置されたハーフミラー等によってカメラ本体１４の撮像素子に入射する被写体光から分岐された被写体光が結像するようになっている。ＡＦ用撮像素子の撮像エリアに対する撮影範囲及び被写体距離（ピントが合う被写体の距離）は、カメラ本体１４の撮像素子の撮像エリアに対する撮影範囲及び被写体距離に一致するように構成されており、ＡＦ用撮像素子により取り込まれる被写体画像は、カメラ本体１４の撮像素子により取り込まれる被写体画像と一致している。なお、両者の撮影範囲に関しては完全に一致している必要はなく、例えば、ＡＦ用撮像素子の撮影範囲の方がカメラ本体１４の撮像素子の撮影範囲を包含する大きな範囲であってもよい。
【００４０】
ＡＦ処理部は、ＡＦ用撮像回路から映像信号を取得し、その映像信号に基づいてＡＦの対象範囲とするＡＦエリア（ＡＦ枠）の範囲内における被写体画像のコントラストの高低を示す焦点評価値を算出する。例えば、ＡＦ用撮像素子から得られた映像信号から高域周波数成分の信号をハイパスフィルタによって抽出した後、その高域周波数成分の信号のうち後述のようにして設定されるＡＦエリアに対応する範囲の信号を１画面（１フレーム）分ずつ積算する。このようにして１画面分ごとに得られる積算値はＡＦエリア内の被写体画像のコントラストの高低を示し、その積算値が焦点評価値としてレンズＣＰＵに与えられる。
【００４１】
レンズＣＰＵは、ＡＦエリアの範囲（輪郭）を示すＡＦ枠の情報（ＡＦ枠情報）を、後述するように画像処理ユニット５８から取得し、そのＡＦ枠情報により指定されたＡＦ枠内の範囲をＡＦエリアとしてＡＦ処理部に指定する。そして、そのＡＦエリア内の画像（映像信号）により求められる焦点評価値をＡＦ処理部から取得する。
【００４２】
このようにしてＡＦ用撮像回路から１画面分の映像信号が取得されるごとに（ＡＦ処理部で焦点評価値が求められるごとに）ＡＦ処理部から焦点評価値を取得すると共に、取得した焦点評価値が最大（極大）、即ち、ＡＦ枠内の被写体画像のコントラストが最大となるようにフォーカスレンズ群を制御する。例えば、焦点評価値に基づくフォーカスレンズ群の制御方式として山登り方式が一般的に知られており、フォーカスレンズ群を焦点評価値が増加する方向に移動させて行き、焦点評価値が減少し始める点を検出すると、その位置にフォーカスレンズ群を設定する。これにより、ＡＦ枠内の被写体に自動でピントが合わせられる。
【００４３】
尚、上述のＡＦ処理部は、焦点評価値を算出するために、レンズ装置１２に搭載されたＡＦ用撮像素子から映像信号を取得しているが、カメラ本体１４の撮像素子より撮影された映像の映像信号をカメラ本体１４から取得するような構成としてもよい。また、ＡＦ枠内の被写体に自動でピントを合わせるためのＡＦ手段はどのようなものであってもよい。
【００４４】
ここで、ＡＦエリア２００は、図３に示すようにカメラ本体１４における撮像素子の撮像エリア２０２に対して四角形状の領域として設定され、その輪郭を示す枠２０４がＡＦ枠を示し、撮像素子のＡＦエリア２００（ＡＦ枠２０４内）の範囲で撮影される被写体がＡＦによりピントを合わせる対象となる。
【００４５】
尚、本明細書では、撮像エリア２０２に対するＡＦ枠２０４（ＡＦエリア２００）の範囲は、ＡＦ枠２０４の位置、大きさ、及び、形状（縦横比）の３つの要素によって決まるものとし、“ＡＦ枠の範囲を変更する”という趣旨の記載は、ＡＦ枠の位置、大きさ、及び、形状の３つの要素のうち、少なくとも１つの要素を変更することを意味するものとする。
【００４６】
また、レンズ装置１２は、ケーブルを介して、又は、直接的にカメラ本体１４と接続され、レンズ装置１２とカメラ本体１４の各々に設けられたシリアル通信インターフェース（ＳＣＩ）１２ａ、１４ａを通じて各種情報のやり取りが行えるようになっている。これによりＡＦユニット６６において現在設定されているＡＦ枠の情報もカメラ本体１４に送信され、カメラ本体１４内での処理によってビューファインダ３６に表示される撮影映像に現在設定されているＡＦ枠の位置、大きさ、形状に対応したＡＦ枠の画像が重畳表示されるようになっている。
【００４７】
フォーカス操作部５０は、フォーカスデマンド２６の構成要素であると共に、一般的なフォーカスデマンドが備えている構成要素を示している。フォーカス操作部５０の構成要素として、図１に示したフォーカスノブ３０、ＡＦモードとＭＦモードの切替えやＡＦモードの種類（連続モードやモーメンタリモード）の切替えを行うためのモードスイッチ（図示せず）、ＡＦの開始を指示するＡＦ開始スイッチ（図示せず）等、ＡＦの制御内容やＭＦの制御に関する操作部材を備えると共に、それらの操作部材の設定状態を検出し、検出した設定状態に基づいて制御信号を送出する処理回路等を備えている。
【００４８】
フォーカスデマンド２６にはレンズ装置１２とケーブルで接続するためのインターフェース（Ｉ／Ｆ）５２が設けられており、フォーカス操作部５０はそのＩ／Ｆ５２及びケーブルを介してレンズ装置１２に接続され、ＳＣＩ１２ａを通じてレンズＣＰＵとの間のシリアル通信により各種信号のやり取りが行えるようになっている。
【００４９】
これにより、フォーカス操作部５０から送出された各種制御信号がレンズＣＰＵに与えられ、その制御信号に従った処理がレンズＣＰＵで実行されるようになっている。例えば、ＡＦによるフォーカス制御（ＡＦモード）の指示が与えられた場合には、上記のようにＡＦユニット６６から得られる焦点評価値に基づいてＡＦによるフォーカス制御が行われ、ＭＦによるフォーカス制御（ＭＦモード）の指示が与えられた場合には、フォーカスノブ３０の操作に基づいてフォーカス操作部５０から与えられるフォーカス位置指令信号に従ってＭＦによるフォーカス制御が行われるようになっている。
【００５０】
画像処理ユニット５８は、フォーカスデマンド２６にＡＦ枠制御装置の構成要素として組み込まれた処理部であり、レンズ装置１２のＡＦユニット６６において設定されるＡＦ枠の範囲（位置、大きさ、形状（縦横比））を後述のマニュアル操作又はＡＦ枠自動追尾の処理により指定するための処理部である。
【００５１】
画像処理ユニット５８は、ＳＣＩ７０ａを備えており、そのＳＣＩ７０ａは、上記Ｉ／Ｆ５２を介してレンズ装置１２に接続され、ＳＣＩ１２ａを通じてレンズＣＰＵとの間でシリアル通信により各種信号のやり取りが行えるようになっている。これにより、例えば、ＡＦ枠の範囲を指定するＡＦ枠情報が画像処理ユニット５８からレンズ装置１２のレンズＣＰＵに与えられ、そのＡＦ枠情報に基づいてＡＦユニット６６におけるＡＦ枠の範囲が設定される。
【００５２】
また、フォーカスデマンド２６には画像処理ユニット５８に映像信号を取り込むための映像入力コネクタが設けられており、その映像入力コネクタにカメラ本体１４の映像出力コネクタがダウンコンバータ６８を介してケーブルで接続される。これによって、カメラ本体１４の映像出力コネクタから出力されたＨＤＴＶ信号が、ダウンコンバータ６８によって、標準テレビ［ＮＴＳＣ（National Television System Committee)]方式の映像信号（ＳＤＴＶ信号）に変換（ダウンコンバート）されて、画像処理ユニット５８に入力されるようになっている。
【００５３】
画像処理ユニット５８は、ＡＦ枠自動追尾処理を実行する際に、カメラ本体１４から入力された撮影映像の映像信号から１コマ分の撮撮画像を順次取り込み、撮影画像の中から所定の追尾対象の被写体を検出する処理を行う。そして、ＡＦによりその被写体にピントが合わせられるようにＡＦ枠の範囲を決定し、決定したＡＦ枠の範囲をレンズ装置１２のレンズＣＰＵに送信する。
【００５４】
ＡＦ枠操作部６０は、ＡＦ枠制御装置としてフォーカスデマンド２６に画像処理ユニット５８と共に一体的に設けられ、又は、その一部又は全てが、フォーカスデマンド２６とは別体の装置、即ち、画像処理ユニット５８とは別体の装置に設けられてケーブル等で接続されている。本実施の形態では、図１のようにタッチパネル付きＬＣＤ４０がフォーカスデマンド２６（画像処理ユニット５８）とは別体で設けられ、他の構成要素（後述する追尾モード切替スイッチ１１２を含む）はフォーカスデマンド２６に画像処理ユニット５８と共に一体的に設けられている。
【００５５】
ＡＦ枠操作部６０は、主にＡＦ枠の制御に関する操作を行うための操作部であり、ＡＦ枠の範囲を操作者がマニュアル操作で指示入力するための操作部材や、ＡＦ枠を所望の被写体に自動で追尾させるＡＦ枠自動追尾に関する操作を行うための操作部材を備えている。また、後述するようにＡＦ枠の自動追尾を行うモードを選択するための切替スイッチも備えている。
【００５６】
図４のフォーカスデマンド２６の外観図にも併せて示すように、ＡＦ枠操作部６０の操作部材として、ＡＦ枠の位置をユーザの手動操作により上下左右に移動させるための位置操作部材１００（例えば、ジョイスティックやトラックボール）、ＡＦ枠の大きさを手動操作により変更するためのサイズ操作部材１０２（例えば、ツマミ)、ＡＦ枠の形状を手動操作により変更するための形状操作部材１０４（例えば、ツマミ）、ＡＦ枠自動追尾の開始を指示する追尾開始スイッチ１０８、ＡＦ枠自動追尾の停止を指示する追尾停止スイッチ１１０が設けられており、これらの操作部材１００、１０２、１０４、１０８、１１０の設定状態が、画像処理ユニット５８（後述のメインボード７０のＣＰＵ７８）により読み取られるようになっている。
【００５７】
また、ＡＦ枠操作部６０のＬＣＤ４０は、ＡＦ枠自動追尾に関するモード等の設定をタッチ操作（タップ操作）で入力できるようにしたもので、画像処理ユニット５８のＣＰＵ７８によりＬＣＤ４０に表示される画像が設定内容に応じて適宜切り換えられるようになっている。このＬＣＤ４０は、図２に示すように、コネクタ８４を介して画像処理ユニット５８に着脱自在に接続される。
【００５８】
尚、本実施の形態では、画像処理ユニット５８やＡＦ枠操作部６０を備えたＡＦ枠制御装置がフォーカスデマンド２６に組み込まれた態様を示したが、ＡＦ枠制御装置はフォーカスデマンド２６とは別体の装置として構成してもよい。また、この場合に、ＡＦ枠操作部６０は、その一部又は全てを画像処理ユニット５８と一体の装置に設けられてもよいし、別体の装置に設けてもよい。
【００５９】
次に画像処理ユニット５８の構成及び処理内容について説明する。
【００６０】
画像処理ユニット５８は、主としてメインボード７０、パターンマッチング処理演算ボード７２、顔認識処理演算ボード７４から構成されている。メインボード７０、パターンマッチング処理演算ボード７２、顔認識処理演算ボード７４の各々にはＣＰＵ７８、９０、９２が搭載されており、各ボード毎に個別の演算処理が行われると共に、各ＣＰＵ７８、９０、９２は、バスや制御線で接続され、相互にデータのやり取りや、演算処理の同期等が図られるようになっている。
【００６１】
画像処理ユニット５８における処理は、メインボード７０において統括的に行われるようになっている。そのメインボード７０には、演算処理を行う上記ＣＰＵ７８の他に、ＳＣＩ７０ａ、デコーダ（Ａ／Ｄ変換器）７６、スーパーインポーザ８２、ＲＡＭ８０等が搭載されている。
【００６２】
ＳＣＩ７０ａは、上述のようにレンズ装置１２のＳＣＩ１２ａとの間でシリアル通信を行うためのインターフェース回路であり、上記ＡＦ枠情報等をレンズ装置１２に送信する。
【００６３】
デコーダ７６は、上記ダウンコンバータ６８から画像処理ユニット５８に入力されるテレビカメラ１０の撮影映像の映像信号（ＳＤＴＶ信号）を、画像処理ユニット５８においてデジタル処理可能なデータに変換するための回路であり、アナログのＳＤＴＶ信号をデジタルデータの映像信号に変換するＡ／Ｄ変換処理等を行っている。このデコーダ７６から出力される撮影映像の映像信号は、パターンマッチング処理演算ボード７２や顔認識処理演算ボード７４にも送られ、パターンマッチング処理演算ボード７２や顔認識処理演算ボード７４においてもテレビカメラ１０の撮影映像を１コマ単位の撮影画像として取得することができるようになっている。
【００６４】
スーパーインポーザ８２は、上記のデコーダ７６により得られた撮影映像の映像信号と、ＣＰＵ７８により生成される画像信号とを合成し、その合成した映像信号をＬＣＤ４０に出力・表示する回路である。これにより、カメラ本体１４に設置されているビューファインダ３６と同様にテレビカメラ１０の撮影映像がＬＣＤ４０に表示されると共に、その撮影映像に重ねて、現在設定されているＡＦ枠の範囲を示すＡＦ枠の画像や、タッチパネルでの入力操作を行えるようにしたメニュー画面（メニュー画像）等がＬＣＤ４０に表示される。尚、撮影映像に重畳させることなくＣＰＵ７８で生成された画像のみを表示させることも当然可能である。
【００６５】
ＲＡＭ８０は、ＣＰＵ７８の演算処理において使用するデータを一時的に格納するメモリである。
【００６６】
一方、パターンマッチング処理演算ボード７２や顔認識処理演算ボード７４は、パターンマッチングと顔検出・認識処理を個別に行うための演算ボードであり、各々、演算処理を行うＣＰＵ９０、９２の他に画像データを一時的に格納するＶＲＡＭ９４、９６等を備えている。
【００６７】
また、画像処理ユニット５８には、ＳＤ（Secure Digital）カードやＵＳＢメモリなどの外部メモリとしてデータカード１１４を装填するスロット１１５が設けられており、顔認識により特定の人物の顔を検出する際に、その特定の人物の顔を示す認証データを予めデータカード１１４に保存しておき、そのデータカード１１４をスロット１１５に装填することで、顔認識に必要な認証データをデータカード１１４からＣＰＵ７８が読み込めるようになっている。
【００６８】
続いて、上記のごとく構成された画像処理ユニット５８によるＡＦ枠の制御についてＬＣＤ４０の表示及び操作に関する処理と共に説明する。
【００６９】
図５に示すようにＬＣＤ４０の画面４０ａには、テレビカメラ１０の撮影映像に重畳して各種ボタン３００〜３１０からなるメニュー画面（メニュー画像）と、現在設定されているＡＦ枠の範囲を示すＡＦ枠の画像２０４（単にＡＦ枠２０４という）が表示される。メニュー画面の各種ボタン３００〜３１０やＡＦ枠２０４のように撮影映像に重畳される画像は、図２に示した画像処理ユニット５８におけるメインボード７０のＣＰＵ７８により生成され、それらの画像が、スーパーインポーザ８２においてデコーダ７６から出力されるテレビカメラ１０の撮影映像に重畳されてＬＣＤ４０に表示されるようになっている。尚、ＬＣＤ４０の表示（表示内容）に関する制御はＣＰＵ７８により行われるものである。
【００７０】
一方、ＬＣＤ４０はタッチパネルを備えており、ＬＣＤ４０の画面４０ａに対して指先等が触れるタッチ操作が行われると、触れた位置（座標）を示す位置情報がＣＰＵ７８に与えられるようになっている。これにより、ＬＣＤ４０の画面４０ａに対して行われたタッチ操作の位置や操作の種類（タップ操作、ダブルタップ操作等）がＣＰＵ７８により検出されるようになっている。そして、その操作に従った処理がＣＰＵ７８により実行されるようになっている。
【００７１】
ＬＣＤ４０の画面４０ａにおける基本的な操作として、各ボタン３００〜３１０に予め割り当てられた指示を入力する操作や、ＡＦ枠２０４の範囲を指定する操作があり、前者の操作は、各ボタン３００〜３１０の位置を指先等でタップ操作するものである。後者のＡＦ枠２０４の範囲を指定する操作は、例えば、撮影映像が表示されたＬＣＤ４０の画面４０ａ上において、ＡＦ枠２０４を移動させたい位置をタップ操作すれば、その位置が中心となるようにＡＦ枠２０４を移動させることができる。また、ＡＦ枠２０４の頂点や辺を指先等でタッチしてそのままスライドするドラッグ操作によってドラッグ操作した位置までタッチした頂点や辺の位置を移動させてＡＦ枠２０４の大きさや形状を変更することができる。
【００７２】
尚、ＡＦ枠２０４の位置、大きさ、形状は、ＡＦ枠操作部６０（フォーカスデマンド２６）の位置操作部材１００、サイズ操作部材１０２、形状操作部材１０４の操作でも変更可能である。
【００７３】
ＬＣＤ４０の画面４０ａに表示されるメニュー画面（メニュー画像）について説明すると、図５において、”固定”と表示された固定モード選択ボタン３００、”物体追尾”と表示された物体追尾モード選択ボタン３０２、”顔検出”と表示された顔検出追尾モード選択ボタン３０４、”顔認識”と表示された顔認識追尾モード選択ボタン３０６は、ＡＦ枠の制御モードを選択するボタンであり、これらのボタン３００〜３０６のいずれかをタップ操作することで、固定モード、物体追尾モード、顔検出追尾モード、顔認識追尾モードのうちから所望のモードを選択することできるようになっている。
【００７４】
固定モードは、ＡＦ枠の範囲（位置、大きさ、形状）を操作者がマニュアル操作で指定し、その指定した位置にＡＦ枠を固定するモード（マニュアルモード）である。この固定モードは、カメラをほとんど動かさないニュース番組などでの撮影に有益なモードである。
【００７５】
図５のＬＣＤ４０の画面４０ａにおいて固定モード選択ボタン３００をタップ操作すると固定モードが選択され、画像処理ユニット５８のメインボード７０に搭載されたＣＰＵ７８は、固定モードの処理を実行する。
【００７６】
即ち、ＣＰＵ７８は、上記のようにＬＣＤ４０の画面４０ａに対するＡＦ枠の範囲を変更する操作や、ＡＦ枠操作部６０に設けられたＡＦ枠２０４をマニュアル操作で変更するための操作部材（位置操作部材１００、サイズ操作部材１０２、形状操作部材１０４）の操作に基づいてＡＦ枠の範囲を決定する。ＣＰＵ７８は、ＡＦ枠の範囲を決定すると、そのＡＦ枠の範囲を示すＡＦ枠情報をＳＣＩ７０ａを通じてレンズ装置１２のレンズＣＰＵに送信する。
【００７７】
物体追尾モードは、ＡＦ枠の自動追尾を行う１つのモードであり、任意の種類の物体をＡＦ枠で追尾させるモードである。この物体追尾モードは、人物の顔以外を追尾する競馬中継、カ−レース中継などでの撮影に有益なモードである。このモードでは、撮影映像に対して操作者が追尾対象としたい任意の物体の画像を含むようにＡＦ枠の範囲を指定すると、その範囲の物体が追尾対象として設定される。そして、その追尾対象の画像が基準パターンとして登録され、パターンマッチング処理演算ボード７２のＣＰＵ９０において、順次得られる撮影画像に対して、基準パターンに一致する画像範囲を検出するためのパターンマッチング処理が行われる。メインボード７０のＣＰＵ７８は、その基準パターンが検出された範囲をＡＦ枠の範囲として決定し、レンズ装置１２のレンズＣＰＵに送信する。尚、ＡＦ枠自動追尾を開始する際にレンズ装置１２においてＡＦによるフォーカス制御が行われていない場合（ＡＦモードとなっていない場合）には、ＡＦ枠自動追尾の開始と連動してＡＦの開始も指示される。
【００７８】
顔検出追尾モードは、ＡＦ枠の自動追尾を行う１つのモードであり、任意の人物の顔をＡＦ枠で追尾させるモードである。この顔検出追尾モードは、人物の顔を検出して追尾する歌謡番組などでの撮影に有益なモードである。このモードでは、まず、顔認識処理演算ボード７４のＣＰＵ９２において撮影画像の中から任意の人物の顔画像を検出するための周知の顔検出処理が行われる。そして、検出された顔画像の中から追尾対象とする顔画像を操作者が指定すると、その顔画像が追尾対象として設定される。以後、順次得られる撮影画像に対して顔認識処理演算ボード７４のＣＰＵ９２により顔検出処理が行われると共に、検出された顔画像の中から追尾対象の顔画像を特定する処理がメインボード７０のＣＰＵ７８により行われる。メインボード７０のＣＰＵ７８は、検出された追尾対象の顔画像の範囲をＡＦ枠の範囲として決定し、レンズ装置１２のレンズＣＰＵに送信する。
【００７９】
顔認識追尾モードは、ＡＦ枠の自動追尾を行う１つのモードであり、事前に認証データとして登録した人物の顔をＡＦ枠で追尾させるモードである。この顔認識追尾モードは、撮影する人物が事前に決まっている歌謡番組やスポーツ中継などでの撮影に有益なモードである。このモードでは、図２に示したスロット１１５に装填された顔認証データカード１１４から追尾対象とする人物の顔の認証データが取り込まれる。そして、顔検出追尾モードと同様に顔認識処理演算ボード７４のＣＰＵ９２において顔検出処理が行われると共に、検出された顔画像の中から追尾対象の顔画像が認証データを用いた周知の顔認証処理により検出される。メインボード７０のＣＰＵ７８は、検出された追尾対象の顔画像の範囲をＡＦ枠の範囲として決定し、レンズ装置１２のレンズＣＰＵに送信する。
【００８０】
尚、図５において、”セット”と表示されたセットボタン３０８と、”リセット”と表示されたリセットボタン３１０は、ＡＦ枠自動追尾の開始と停止を指示するボタンであり、これらのボタン３０８、３１０は、ＡＦ枠自動追尾の開始又は停止の指示を操作者が行う制御モード（物体追尾モード、顔検出追尾モード）が選択された場合にのみ表示される。尚、これらのセットボタン３０８とリセットボタン３１０は、ＡＦ枠操作部６０の追尾開始スイッチ１０８と追尾停止スイッチ１１０（図２及び図４参照）と同様に作用するボタンである。
【００８１】
本実施の形態では、上述したようにＬＣＤ４０と画像処理ユニット５８とはコネクタ８４を介して着脱可能に接続されている。このコネクタ８４には、ＧＮＤに接続されるＧＮＤピン８４ａと、基準電圧（Ｖｃｃ）に所定の抵抗を介して接続される電源ピン８４ｂと、画像処理ユニット５８のスーパーインポーザ８２で合成された映像信号をＬＣＤ４０に出力する信号ピン８４ｃと、ＬＣＤ４０のタッチパネルで検出された信号を画像処理ユニット５８（メインボード７０のＣＰＵ７８）に入力する信号ピン８４ｄと、が含まれている。
【００８２】
これらのピン８４ａ〜８４ｄのうち、ＧＮＤピン８４ａと電源ピン８４ｂは、ＬＣＤ４０と画像処理ユニット５８がコネクタ８４を介して接続された場合にはクローズ状態（短絡状態）となり、その接続が解除された場合（即ち、ＬＣＤ４０が取り外された場合）にはオープン状態（非短絡状態）となるように構成されている。
【００８３】
画像処理ユニット５８におけるメインボード７０のＣＰＵ７８は、電源ピン８４ｂに接続されるラインから検出される信号（検出信号）を監視しており、この検出信号のレベル（Ｈｉｇｈ／Ｌｏｗ）によってＬＣＤ４０の有無を判別している。即ち、このＣＰＵ７８は、検出信号がＬｏｗレベルの場合にはＬＣＤ４０が接続されている状態と判断し、Ｈｉｇｈレベルの場合にはＬＣＤ４０が接続されていない状態と判断している。
【００８４】
図４のフォーカスデマンド２６の外観図にも併せて示すように、ＡＦ枠操作部６０の操作部材として、上述した操作部材１００、１０２、１０４、１０８、１１０の他に、追尾モード切替スイッチ１１２が一体的に設けられている。追尾モード切替スイッチ１１２は、例えば図４に例示したようにスライドスイッチで構成され、ＡＦ枠の自動追尾を行うモードとして、物体追尾モード（図４の「ＯＢＪＥＣＴ」側）と顔検出追尾モード（図４の「ＦＡＣＥ」側）のいずれか一方を選択できるようになっている。そして、追尾モード切替スイッチ１１２にて選択された追尾モードが、画像処理ユニット５８（メインボード７０のＣＰＵ７８）により読み取られるようになっている。
【００８５】
メインボード７０のＣＰＵ７８は、電源ピン８４ｂに接続されるラインから検出される信号（検出信号）によってＬＣＤ４０が接続されていない状態と判断した場合には、追尾モード切替スイッチ１１２の設定状態を有効とし、当該切替スイッチ１１２にて選択されている追尾モードに従ってＡＦ枠の自動追尾を行う。例えば図４に示したように、追尾モード切替スイッチ１１２が顔検出追尾モード（図４の「ＦＡＣＥ」側）を選択している場合には、顔検出追尾モードによるＡＦ枠の自動追尾が行われる。
【００８６】
続いて、上記のごとく構成された画像処理ユニット５８（メインボード７０のＣＰＵ７８）によるＡＦ枠自動追尾の処理手順について、図６に示したフローチャートに従って説明する。
【００８７】
まず、メインボード７０のＣＰＵ７８は、ＬＣＤ４０がコネクタ８４を介して画像処理ユニット５８に接続されているか否かを判別する（ステップＳ１０）。本実施の形態では、上述したようにコネクタ８４に含まれるＧＮＤピン８４ａと電源ピン８４ｂの接続状態（短絡状態／非短絡状態）に応じてＬＣＤ４０の接続の有無を判断している。具体的には、電源ピン８４ｂに接続されるラインから検出される信号（検出信号）のレベル（Ｈｉｇｈ／Ｌｏｗ）に応じてＬＣＤ４０が接続されているか否かの判別を行っており、検出信号がＨｉｇｈレベルの場合にはＬＣＤ４０は接続されていないと判断し、検出信号がＬｏｗレベルの場合にはＬＣＤ４０は接続されていると判断している。
【００８８】
ステップＳ１０においてＮｏの場合、即ち、ＬＣＤ４０が接続されていないと判断した場合には、ＣＰＵ７８は、ＡＦ枠操作部６０に設けられた追尾モード切替スイッチ１１２にて選択されている追尾モードが顔検出追尾モードであるか否かを判断する（ステップＳ１２）。
【００８９】
ステップＳ１２においてＹｅｓの場合、即ち、追尾モード切替スイッチ１１２によって顔検出追尾モードが選択されている場合には、ＣＰＵ７８は、追尾モードとして顔検出追尾モードを設定して（ステップＳ１４）、当該設定された追尾モードに従ってＡＦ枠の自動追尾の処理を実行する（ステップＳ１６）。一方、ステップＳ１２においてＮｏの場合、即ち、追尾モード切替スイッチ１１２によって物体追尾モードが選択されている場合には、ＣＰＵ７８は、追尾モードとして物体追尾モードを設定して（ステップＳ１８）、当該設定された追尾モードに従ってＡＦ枠の自動追尾の処理を実行する（ステップＳ１６）。
【００９０】
ステップＳ１０においてＮｏの場合、即ち、ＬＣＤ４０が接続されていると判断した場合には、ＣＰＵ７８は、ＬＣＤ４０のタッチパネルから検出された信号に基づき、以下の処理を行う。
【００９１】
即ち、ＣＰＵ７８は、ＬＣＤ４０のタッチパネルを通じて選択された追尾モードが物体追尾モード、顔検出追尾モード、及び顔認識追尾モードのいずれかに該当するか否かを順次判断する（ステップＳ２０、２２、２４）。物体追尾モードが選択されている場合（ステップＳ２０においてＹｅｓの場合）には追尾モードとして物体追尾モードが設定され（ステップＳ１８）、顔検出追尾モードが選択されている場合（ステップＳ２２においてＹｅｓの場合）には追尾モードとして顔検出追尾モードが設定され（ステップＳ１８）、顔認識追尾モードが選択されている場合（ステップＳ２４においてＹｅｓの場合）には追尾モードとして顔認識追尾モードが設定される（ステップＳ２６）。そして、ＣＰＵ７８は、設定された追尾モードに従ってＡＦ枠の自動追尾の処理を実行する（ステップＳ１６）。
【００９２】
尚、ステップＳ１６において、操作者により自動追尾の停止が指示された場合や、自動追尾の処理に失敗した場合には、ＡＦ枠自動追尾の処理を停止し、ステップＳ１０に戻る。
【００９３】
一方、ＬＣＤ４０のタッチパネルを通じて選択された追尾モードが物体追尾モード、顔検出追尾モード、及び顔認識追尾モードのいずれにも該当しない場合（ステップＳ２０、２２、２４において全てＮｏの場合）、ＣＰＵ７８は、固定モードが選択されていると判断して、固定モードによる処理を実行する（ステップＳ２８）。そして、操作者により固定モードによる処理の停止が指示された場合にはステップＳ１０に戻る。
【００９４】
本実施の形態によれば、ＬＣＤ４０と画像処理ユニット５８がコネクタ８４を介して着脱自在に接続され、コネクタ８４に含まれるＧＮＤピン８４ａと電源ピン８４ｂの接続状態（短絡／非短絡状態）に応じてＬＣＤ４０が接続されているか否かが自動的に判別される。また、ＡＦ枠操作部６０には複数の追尾モードの中から任意の追尾モードを選択可能な追尾モード切替スイッチ１１２が設けられ、ＬＣＤ４０が接続されていないと判別された場合には追尾モード切替スイッチ１１２によって選択された追尾モードによるＡＦ枠の自動追尾の処理が行われる。一方、ＬＣＤ４０が接続されていると判別された場合には追尾モード切替スイッチ１１２にて選択された追尾モードではなく、ＬＣＤ４０のタッチパネルを通じて選択された追尾モードによるＡＦ枠の自動追尾の処理が行われる。これにより、カメラマンの好みや撮影条件によってＬＣＤ４０が取り外された状態で使用される場合でも、追尾対象とする被写体に適した追尾モードによるＡＦ枠の自動追尾が可能となり、利便性が向上する。
【００９５】
尚、本実施の形態では、ＬＣＤ４０と画像処理ユニット５８を接続するコネクタ８４のピン（８４ａ、８４ｂ）を利用してＬＣＤ４０の接続の有無を判別する態様が好ましく適用されているが、本発明はこれに限らず、機械的又は電気的なスイッチによって操作者（例えばカメラマン）がＬＣＤ４０の有無を手動にて設定し、そのスイッチの設定状態を読み取ることによってＬＣＤ４０の有無を判別するようにしてもよい。
【００９６】
以上、本発明のＡＦ枠自動追尾システムについて詳細に説明したが、本発明は、以上の例には限定されず、本発明の要旨を逸脱しない範囲において、各種の改良や変形を行ってもよいのはもちろんである。
【符号の説明】
【００９７】
１…オートフォーカスシステム、１０…テレビカメラ、１２…レンズ装置、１４…カメラ本体、２６…フォーカスデマンド、３６…ビューファインダ、４０…タッチパネル付き液晶ディスプレイ（ＬＣＤ）、５０…フォーカス操作部、５８…画像処理ユニット、６０…ＡＦ枠操作部、６６…ＡＦユニット、６８…ダウンコンバータ、７０…メインボード、７２…パターンマッチング処理演算ボード、７４…顔認識処理演算ボード、７６…デコーダ、７８、９０、９２…ＣＰＵ、８２…スーパーインポーザ、８４…コネクタ、１１２…追尾対象切替スイッチ、１１４…データカード、１１５…スロット、２００…ＡＦエリア、２０４…ＡＦ枠、３００…固定モード選択ボタン、３０２…物体追尾モード選択ボタン、３０４…顔検出追尾モード選択ボタン、３０６…顔認識追尾モード選択ボタン、３０８…セットボタン、３１０…リセットボタン
【図１】
2011109323.tif 000003
【図２】
2011109323.tif 000004
【図３】
2011109323.tif 000005
【図４】
2011109323.tif 000006
【図５】
2011109323.tif 000007
【図６】
2011109323.tif 000008